(57)【要約】【課題】人の通行や荷物の運搬時に損傷を与えることがなく、外観意匠性に優れた戸枠を提供すること。【解決手段】壁体の出入口３０に貫通して配設する戸枠１。該戸枠１は、少なくとも出入口３０の左右に配設する枠本体１０を有してなる。該枠本体１０は、出入口部１１と該出入口部１１の背面側に位置する裏側面１２とよりなる。出入口部１１は、開閉される戸２ａの端部２００が対向位置する対向面１１０と、該枠本体１０の幅方向端部１００の少なくとも一方に向かって、対向面１１０より枠本体１０の厚みが小さくなるように傾斜する枠傾斜面１１１とを有する。【選択図】図１
2007009677.tif 000002
【特許請求の範囲】
【請求項１】
壁体の出入口に貫通して配設する戸枠であって、
該戸枠は、少なくとも上記出入口の左右に配設する枠本体を有してなり、
該枠本体は、出入口部と該出入口部の背面側に位置する裏側面とよりなり、
上記出入口部は、開閉される戸の端部が対向位置する対向面と、
該枠本体の幅方向端部の少なくとも一方に向かって、上記対向面より上記枠本体の厚みが小さくなるように傾斜する枠傾斜面とを有することを特徴とする戸枠。
【請求項２】
請求項１において、上記対向面と上記枠傾斜面との間には、段差部を有することを特徴とする戸枠。
【請求項３】
請求項１又は２において、上記枠傾斜面の先端部分は面取りされて弧状部を形成していることを特徴とする戸枠。
【請求項４】
請求項１〜３のいずれか一項において、上記枠傾斜面は、上記枠本体の幅方向端部の両側に設けてあることを特徴とする戸枠。
【請求項５】
請求項１〜４のいずれか一項において、上記枠本体の裏側面は、平坦面であることを特徴とする戸枠。
【請求項６】
請求項１〜５のいずれか一項において、上記出入口部における上記対向面は、上記枠本体の幅方向の片方側に、閉じられた戸の先端側面が当接する段状戸当り部を一体的に有することを特徴とする戸枠。
【請求項７】
請求項１〜６のいずれか一項において、上記枠本体は、上記出入口部の表面に意匠用シートを貼着してなることを特徴とする戸枠。
【請求項８】
請求項７において、上記意匠用シートは、突き板又は木目調印刷シートであることを特徴とする戸枠。
【発明の詳細な説明】
【技術分野】
【０００１】
本発明は、壁体の出入口に貫通して配設する戸枠に関する。
【背景技術】
【０００２】
図１５に示すごとく、従来の戸枠９は、壁体９３０の出入口に貫通して配設されており、上記壁体９３０の出入口の下地材９３に対して木ネジ等の固定具９４により固定されている。上記戸枠９は、戸枠本体９０と該戸枠本体９０の表側面９１に固定した戸当り９００とを有する（特許文献１参照）。該戸当り９００は、戸９９を閉じたときにその端部を位置決めし、ロック９９１の挿入を可能とするものである。
【０００３】
しかしながら、従来の戸枠９は、枠本体９０の端部に角部９５を有しており、人の通行や荷物の運搬の際に、人や荷物が上記角部９５に接触してしまうおそれがある。また、戸枠９全体として奥行きを感じることができないと共に、戸枠９の外観が固いイメージとなってしまう。また、そのため、上記戸枠９の外観意匠性が画一的なものとなってしまう。
【０００４】
【特許文献１】特開平１１−１７３０００号公報
【発明の開示】
【発明が解決しようとする課題】
【０００５】
本発明は、かかる従来の問題点に鑑みてなされたもので、人の通行や荷物の運搬時に損傷を与えることがなく、外観意匠性に優れた戸枠を提供しようとするものである。
【課題を解決するための手段】
【０００６】
本発明は、壁体の出入口に貫通して配設する戸枠であって、
該戸枠は、少なくとも上記出入口の左右に配設する枠本体を有してなり、
該枠本体は、出入口部と該出入口部の背面側に位置する裏側面とよりなり、
上記出入口部は、開閉される戸の端部が対向位置する対向面と、
該枠本体の幅方向端部の少なくとも一方に向かって、上記対向面より上記枠本体の厚みが小さくなるように傾斜する枠傾斜面とを有することを特徴とする戸枠にある（請求項１）。
【０００７】
次に、本発明の作用効果につき説明する。
上記戸枠は、上記対向面から上記枠本体の幅方向端部の少なくとも一方に向かって傾斜する枠傾斜面を有する。これにより、上記枠本体は上記出入口部の幅方向端部の角部の厚みを小さくすることができると共に、上記戸枠の開口幅を広くすることができる。つまり、上記出入口部に向かって見たとき、上記枠本体が外方に向かって傾斜拡開する形状を呈している。そのため、人の出入りや荷物の出入り時に、若干斜め方向から上記戸枠内に入りやすくなる。
それ故、上記戸枠の幅方向端部の角部において人や荷物が接触してしまうことを防ぐことができる。したがって、上記戸枠によれば、人の通行や荷物の運搬を容易に行うことができる。
【０００８】
また、上記枠傾斜面は、上記のごとく外方へ拡開した形状を呈するので、上記戸枠の奥行きを広く感じさせることができると共に、上記戸枠の外観に柔らかいイメージを持たせることができる。また、上記戸枠の外観意匠が画一的なものとなってしまうことを防ぐこともできる。
それ故、外観意匠性に優れた戸枠を得ることができる。
【０００９】
以上のごとく、本発明によれば、人の通行や荷物の運搬時に損傷を与えることがなく、外観意匠性に優れた戸枠を提供することができる。
【発明を実施するための最良の形態】
【００１０】
本発明（請求項１）において上記戸枠は、例えば、開き戸用、引き戸用、折れ戸用、又は窓枠用等の戸枠として用いることができる。また、防水性を持たせることにより、屋外用の戸枠或いは窓枠としても使用することが可能となる。
また、居室のみならず、納戸、トイレ等の種々の室にて使用することができる。
【００１１】
また、上記枠本体の上記出入口部の出隅部と入隅部とには、そのいずれか一方、又はその双方において弧状の面取り加工を施すことが好ましい。
上記枠本体は、一本の木から作製することもできるが、例えば、ＭＤＦ（Medium  Density  Fiberboard、中質繊維板）、ＬＶＬ（Laminated  Veneer  Lumber、単板積層材）、集成材等の合板を用いて作製することもできる。
上記枠本体を壁体に施工するに当たっては、例えば、壁体の下地材から上記枠本体の裏側面に向かって、木ネジやビス等を打ち込むことにより固定することができる。
【００１２】
次に、上記対向面と上記枠傾斜面との間には、段差部を有することが好ましい（請求項２）。
この場合には、戸の先端面に設けられたラッチボルトを収納するための収納穴を有する金具を確実に上記枠本体に固定することができる（図４参照）。即ち、金具の屈曲端部を上記段差部に引っ掛けた状態で上記金具を上記枠本体に確実に固定することができる。また、上記金具の端部を上記枠傾斜面に当接させることができるため、上記金具の端部に衣類や手等が引っ掛かってしまうことを防ぐことができる。
【００１３】
次に、上記枠傾斜面の先端部分は面取りされて弧状部を形成していることが好ましい（請求項３）。
この場合には、上記枠本体の幅方向端部にも角部がなくなり、柔軟さ、温かみのある外観意匠性に優れた上記戸枠を得ることができる。
【００１４】
次に、上記枠傾斜面は、上記枠本体の幅方向端部の両側に設けてあることが好ましい（請求項４）。
この場合には、上記戸枠の出入口部の両側において、人の通行や荷物の運搬を、より一層容易に行なうことができると共に、より一層外観意匠性に優れた上記戸枠を得ることができる。
【００１５】
次に、上記枠本体の裏側面は、平坦面であることが好ましい（請求項５）。
この場合には、壁体の下地材から上記枠本体の裏側面に向かって木ネジやビス等を打ち込むことにより、上記枠本体を壁体の下地材に容易に固定することができる。
【００１６】
次に、上記出入口部における上記対向面は、その片方側に、閉じられた戸の先端側面が当接する段状戸当り部を一体的に有することが好ましい（請求項６）。
この場合には、従来の戸枠のように、戸当り部と枠本体との間において隙間が生じ、修繕の必要性が生じるおそれがない。また、そのため、外観意匠性の低下を防ぐことができる。
【００１７】
即ち、従来のように枠本体と戸当り部とが別部材により構成されて、戸当り部が上記枠本体に接着剤、釘、ビス等により固定されている場合には、戸枠構築の際に、これら両者を固定する工程が必要である。そして、かかる場合には、施工誤差やその後の戸の開閉により接着剤等が剥がれて、枠本体と戸当り部との間に隙間（従来例における図１５の符号９２参照）が生じてしまうおそれがある。
これに対して、本発明による上記戸枠は、上記段状戸当り部を上記接着剤等を用いることなく一つの部材にて一体的に形成しているため、上記枠本体と上記段状戸当り部との間に隙間が生じることがない。それ故、修繕の必要がなく、また優れた外観意匠性を維持することができる。
【００１８】
次に、上記枠本体は、上記出入口部の表面に意匠用シートを貼着してなることが好ましい（請求項７）。
この場合には、より一層外観意匠性に優れた上記戸枠を得ることができる。即ち、合板等により上記枠本体を構成した場合、外観意匠性の悪い合板等の材質が出入口部側に露出することを防ぐことができる。
【００１９】
次に、上記意匠用シートは、突き板又は木目調印刷シートであることが好ましい（請求項８）。
この場合には、合板等により上記枠本体を構成した場合、上記出入口部に、好みの木で作製した突き板、又は木目調印刷シートを貼着することにより、本物の木を用いて上記戸枠全体を作製したかのごとく見せることができる。その結果、より一層外観意匠性に優れた上記戸枠を得ることができる。
尚、上記突き板には、例えば、檜、楓等の材料を用いることができる。
【実施例】
【００２０】
（実施例１）
本発明の実施例にかかる戸枠につき、図１〜図４を用いて説明する。本例は、図１、図３、図４に示すごとく、開き戸２ａ用の戸枠１の例である。
本例の戸枠１は、図１、図３に示すごとく、壁体の出入口３０の左右に配設する枠本体１０を有してなる。また、枠本体１０は、出入口部１１と該出入口部１１の背面側に位置する裏側面１２とよりなる。上記出入口部１１は、開閉される開き戸２ａの端部２００が対向位置する対向面１１０と枠本体１０の幅方向端部１００の両方に向かって傾斜する枠傾斜面１１１とを有する。以下では、開き戸２ａを開く方向に配された枠傾斜面１１１を第１枠傾斜面１１１ａ、閉じる方向に配された枠傾斜面１１１を第２枠傾斜面１１１ｂとし、単に枠傾斜面１１１とする場合は、この両者、或いは、いずれか一方を示すものとする。
【００２１】
また、図１、図２、図４に示すごとく、対向面１１０と枠傾斜面１１１ａとの間には、段差部１１２が形成されている。該段差部１１２は、対向面１１０の端部から枠本体１０の厚みが小さくなる方向に形成され、第１枠傾斜面１１１ａの基端部分につながっている。また、第１枠傾斜面１１１ａの先端部分は、曲面となるように面取り加工が施されて弧状部１１３を有している。また、枠傾斜面１１１は、図１、図４に示すごとく、枠本体１０の幅方向端部１００の両側に設けてある。そして、裏側面１２は、平坦面である。また、段状戸当り部１１４は、図４に示すごとく、対向面１１０における、段差部１１２が形成されている側と反対側の端部において突出するよう枠本体１０と一体的に形成され、閉じられた開き戸２ａの先端側面が当接するよう構成されている。
【００２２】
上記段状戸当り部１１４は、図１、図４に示すごとく、対向面１１０よりも枠本体１０の厚みが大きくなる方向に形成されている。
また、上記段状戸当り部１１４と第２枠傾斜面１１１ｂとの間には、対向面１１０に平行な平面部１１５が形成されている。
また、段状戸当り部１１４と平面部１１５、及び第２枠傾斜面１１１ｂと平面部１１５との間は、曲面となるように面取りされている。
また、枠本体１０は、出入口部１１の表面に意匠用シートを貼着してなる。更に、意匠用シートは、突き板である。
【００２３】
枠本体１０を作製する手順としては、例えば、まず、合板を作製する。そして、加工された該合板を所望の寸法に切断し、壁体の出入口３０の上、右、及び左のそれぞれに配設するための厚板状の枠本体１０を作製する。尚、その後、枠本体１０の出入口部１１の表面に、突き板よりなる意匠用シートを貼着する。これにより本発明の枠本体１０を得る。
該枠本体１０は、図３に示すごとく、上部、左部、右部からなる門状に配設される。
【００２４】
戸枠１を壁部３００に施工するに当っては、図１〜図３に示すごとく、まず、壁体の出入口３０に配設される左右の枠本体１０の裏側面１２を、壁体の下地材３に当接させた状態で木ネジ４を用いて下地材３に固定する。即ち、まず、図１に示すごとく、枠本体１０の裏側面１２を下地材３の出入口３０側に当接させる。その後、出入口３０の両端に配された下地材３の側面部３１から、枠本体１０の幅方向中央に向かって斜めに枠本体１０の裏側面１２に木ネジ４を打ち込む。これにより、下地材３の両側面部３１から略ハの字型に打ち込まれた一対の木ネジ４によって、枠本体１０を下地材３に留め付けることができる。そして、下地材３の軸方向に沿って複数箇所に所定の間隔で木ネジ４を打ち込めば枠本体１０を下地材３に充分に固定することができる。また、その後、図１に示すごとく、木ネジ４の頭部が下地材３の表面より突出することがないよう、下地材３に埋め込んでおくことが好ましい。この場合には、仕上げ材３１０が木ネジ４の頭部分浮き上がることを防ぐことができる。
【００２５】
次いで、枠本体１０を出入口３０の下地材３に配設した後、図１に示すごとく、枠本体１０の裏側面１２に端部３１１を当接させた状態でプラスターボード等の仕上げ材３１０を下地材３に張り付ける。
【００２６】
また、開き戸２ａを枠本体１０に取り付けるに当たっては、図３に示すごとく、枠本体１０の出入口部１１に上下方向に３つの丁番２１を取り付けると共に、開き戸２ａの高さを合わせて開き戸２ａに丁番２１を固定する。また、図４に示すごとく、開き戸２ａの端部２００側に対向する枠本体１０の出入口部１１に、ラッチボルト２２を収納するための収納穴５１０、５２０を有する金具５１、５２を取り付ける。この際、金具５２の屈曲端部５２１の裏側面は、図４に示すごとく、枠本体１０の段差部１１２に当接した状態で固定される。
【００２７】
尚、枠本体１０の対向面１１０と段差部１１２とにおいて金具５１、５２が取り付けられる位置に、金具５１、５２の厚み分を切り欠いた切欠部を予め形成しておき、戸枠１構築の際に、上記切欠部に金具５１、５２を嵌合させることもできる。
【００２８】
また、開き戸２ａのノブ２０を右又は左のどちらか一方に回すことにより、金具５１、５２の収納穴５１０、５２０に収納されていたラッチボルト２２が開き戸２ａの内部に収納される。これにより、開き戸２ａを開けることができる。一方、開き戸２ａを閉める場合は、開き戸２ａのノブ２０を開ける場合と逆方向に回すことにより、開き戸２ａの端部２００よりラッチボルト２２を突出させ、金具５１、５２の収納穴５１０、５２０にラッチボルト２２を収納させる。
【００２９】
また、枠本体１０は、例えば、ＭＤＦ（Medium  Density  Fiberboard、中質繊維板）等の合板を用いて形成することができる。
また、意匠用シートは、例えば、楓の突き板よりなる。
【００３０】
次に、本例の作用効果につき説明する。
図１、図４に示すごとく、戸枠１は、対向面１１０から枠本体１０の幅方向端部１００の少なくとも一方に向かって傾斜する枠傾斜面１１１を有する。これにより、枠本体１０の出入口部１１の幅方向端部１００の角部（従来例における図１５の角部９５参照）の厚みを小さくすることができると共に、戸枠１の開口幅を広くすることができる。つまり、出入口部１１に向かって見たとき、枠本体１０が外方に向かって傾斜拡開する形状を呈している。そのため、人の出入りや荷物の出入り時に、若干斜め方向から戸枠１内に入りやすくなる。
それ故、戸枠１の幅方向端部１００において人や荷物が接触してしまうことを防ぐことができる。したがって、戸枠１によれば、人の通行や荷物の運搬を容易に行なうことができる。
【００３１】
また、枠傾斜面１１１は、上記のごとく、外方へ拡開した形状を呈するので、戸枠１の奥行きを広く感じさせることができると共に、戸枠１の外観に柔らかいイメージを持たせることができる。また、戸枠１の外観意匠が画一的なものとなってしまうことを防ぐこともできる。
それ故、外観意匠性に優れた戸枠１を得ることができる。
【００３２】
また、枠本体１０は、図１、図４に示すごとく、対向面１１０と第１枠傾斜面１１１ａとの間に、段差部１１２を有する。これにより、開き戸２ａの端部２００に設けられたラッチボルト２２を収納するための収納穴５２０を有する金具５２を確実に上記枠本体に固定することができる。
即ち、金具５２の屈曲端部５２１を段差部１１２に引っ掛けた状態で、金具５２を枠本体１０に確実に固定することができる。また、金具５２の屈曲端部５２２を枠傾斜面１１１に当接させることができるため、金具５２の端部５２２に衣類や手等が引っ掛かってしまうことを防ぐことができる。
【００３３】
また、図１、図４に示すごとく、枠傾斜面１１１の先端部分は面取りされて弧状部１１３を形成している。これにより、枠本体１０の幅方向端部１００にも角部がなくなり、柔軟さ、温かみのある外観意匠性に優れた戸枠１を得ることができる。
【００３４】
また、図１に示すごとく、枠傾斜面１１１は、枠本体１０の幅方向端部１００の両側に設けてある。これにより、戸枠１の出入口部１１の両側において、人の通行や荷物の運搬を、より一層容易に行なうことができると共に、より一層外観意匠性に優れた戸枠１を得ることができる。
また、枠本体１０の裏側面１２は、平坦面である。これにより、壁体の下地材３から枠本体１０の裏側面１２に向かって木ネジ４を打ち込むことにより、枠本体１０を壁体の下地材３に容易に固定することができる。
【００３５】
また、図４に示すごとく、出入口部１１における対向面１１０は、その片方側に、閉じられた開き戸２ａの端部２００が当接する段状戸当り部１１４を一体的に有する。これにより、図１５に示すごとく、従来の戸枠９のように戸当り部９００と枠本体９０との間において隙間９２が生じ、修繕の必要性が生じるおそれがない。また、そのため、外観意匠性の低下を防ぐことができる。
【００３６】
即ち、従来のように枠本体９０と戸当り部９００とが別部材により構成されて、戸当り部９００が枠本体９０に接着剤、釘、ビス等により固定されている場合には、戸枠９構築の際に、これら両者を固定する工程が必要である。そして、かかる場合には、施工誤差やその後の戸９９の開閉により接着剤等が剥がれて、枠本体９０と戸当り部９００との間に隙間９２が生じてしまうおそれがある。
【００３７】
これに対して、本例における上記戸枠１は、上記段状戸当り部１１４を上記接着剤等を用いることなく、一つの部材にて一体的に形成しているため、上記枠本体１０と上記段状戸当り部１１４との間に隙間が生じることがない。それ故、修繕の必要がなく、また優れた外観意匠性を維持することができる。
【００３８】
また、枠本体１０は、出入口部１１の表面に意匠用シートを貼着してなる。これにより、より一層外観意匠性に優れた戸枠１を得ることができる。即ち、合板等により枠本体１０を構成した場合、外観意匠性の悪い合板等の材質が出入口部１１側に露出することを防ぐことができる。
【００３９】
また、意匠用シートとして突き板を用いた場合には、出入口部１１に好みの木で作製した突き板を貼着することにより、本物の木を用いて戸枠１を作製したかのごとく見せることができる。その結果、より一層外観意匠性に優れた戸枠１を得ることができる。
【００４０】
以上のごとく、本例によれば、人の通行や荷物の運搬時に損傷を与えることがなく、外観意匠性に優れた開き戸用の戸枠を提供することができる。
【００４１】
（実施例２）
本例は、図５〜図８に示すごとく、引き戸２ｂ用の戸枠１の例である。
尚、本例では、説明の便宜上、枠本体１０を、小枠本体１０ａと中枠本体１０ｂと大枠本体１０ｃと上部枠本体１０ｄとに分けて説明する。
本例の戸枠１は、図５〜図７に示すごとく、小枠本体１０ａと大枠本体１０ｃとを有する。小枠本体１０ａは、出入口部１１に対向面１１０と枠傾斜面１１１と段差部１１２と立設部１１６とを有する。一方、大枠本体１０ｃは、出入口部１１に対向面１１０と幅方向端部１００の両側に枠傾斜面１１１と段差部１１２とを有する。
【００４２】
図６、図７に示すごとく、引き戸２ｂは、上端２３の左右の端部に吊り車１４を有しており、図６に示すごとく、上部枠本体１０ｄに設けられた吊り車用溝１１５から吊り下げられている。一方、引き戸２ｂの下端２４には、レール用溝２４０が設けられており、小枠本体１０ａの立設部１１６の下端付近に設けられたレール１５に係合されている。
そして、引き戸２ｂの上端２３に設けられた吊り車１４が吊り車用溝１１５内を動くことによって、引き戸２ｂを開閉する。このとき、引き戸２ｂの下端２４は、引き戸２ｂの開閉方向と直交する方向にずれてしまうことがないように、レール１５によって拘束されている。
【００４３】
更に、本例の戸枠においては、図５に示すごとく、小枠本体１０ａに対して大枠本体１０ｃと反対側の方向に、中枠本体１０ｂが設けられており、該中枠本体１０ｂと大枠本体１０ｃとが対になってもう一方の室側の戸枠が形成されている。そして、中枠本体１０ｂと小枠本体１０ａとの間には、戸袋３２が設けられている。
また、小枠本体１０ａには、図５に示すごとく、小枠本体１０ａと引き戸２ｂとが接触することのないように、立設部１１６に戸当りモヘア１３が設けられている。
【００４４】
小枠本体１０ａと中枠本体１０ｂとは、図５に示すごとく、それぞれ幅方向の片方の端部に枠傾斜面１１１を有している。また、大枠本体１０ｃは、幅方向の両端に枠傾斜面１１１を有している。
中枠本体１０ｂ及び大枠本体１０ｃは、略ハの字に打ち込まれた木ネジ４により、それぞれ下地材３ｂ、３ｃに留め付けられている。一方、小枠本体１０ａは、小枠用下地材３ａの裏側面３２ａから小枠本体１０ａの裏側面１２に向かって垂直に木ネジ４を打ち込むことにより小枠用下地材３ａに留め付けられている。
その他、実施例１と同様である。
【００４５】
本例の場合には、戸枠１の幅方向の両側において、人の通行や荷物の運搬時に損傷を与えることがなく、外観意匠性に優れた引き戸２ｂ用の戸枠１を得ることができる。
その他は、実施例１と同様の作用効果を有する。
【００４６】
尚、上記実施例２においては、図５、図７に示すごとく、戸袋３２が壁部３００の外に設けられている場合を示したが、図８に示すごとく、戸袋３２が壁部３００の中に設けられていてもよい。この場合には、２つの小枠本体１０ａが互いの立設部１１６を対向させた状態で、壁体の出入口３０に裏側面１２を固定されて配置されている。
【００４７】
（実施例３）
本例は、図９〜図１１に示すごとく、折れ戸２ｃ用の戸枠１の例である。
本例の戸枠１は、図９に示すごとく、出入口部１１に対向面１１０と枠傾斜面１１１と段差部１１２と立設部１１６とを有する枠本体１０により構築される。
本例の折れ戸２ｃは、図９、図１１に示すごとく、２枚の戸からなる。また、図１１に示すごとく、左右に配設される戸の先端面２００には、上下方向に３つの丁番２１が設けられている。また、後端面２１０の上端２３及び下端２４には、それぞれ上部ピボット２７及び下部ピボット２８が取り付けられている。
【００４８】
また、図１０に示すごとく、戸枠１の上部の枠本体１０及び下部の沓摺り部１８には、上部ピボット受け溝１１７及び下部ピボット受け溝１１８が設けられており、戸の上部ピボット２７及び下部ピボット２８が嵌合されている。そして、この上部ピボット２７及び下部ピボット２８を開口幅方向にスライドさせることにより、折れ戸２ｃを開閉することができる。
その他、実施例１と同様である。
【００４９】
本例の場合には、人の通行や荷物の運搬時に損傷を与えることがなく、外観意匠性に優れた折れ戸２ｃ用の戸枠１を得ることができる。
その他は、実施例１と同様の作用効果を有する。
【００５０】
（実施例４）
本例は、図１２に示すごとく、実施例１における開き戸２ａ用の枠本体１０を改良した例である。
即ち、枠本体１０は、図１２に示すごとく、対向面１１０の一部に切欠部１０２を有している。そして、該切欠部１０２から下地材３の出入口３０の面に向かって垂直にビス４１を打ち込むことにより枠本体１０が下地材３に固定されている。その後、上記切欠部１０２に嵌合部１０３が嵌合されて、対向面１１０が平坦面となっている。
【００５１】
また、段状戸当り部１１４と枠傾斜面１１１との間には、弧状部１１３が形成されている。該弧状部１１３は、例えば、Ｒ=２〜２．５ｍｍとなるような面取り加工を施したものとすることができる。
その他は、実施例１と同様の構成及び作用効果を有する。
【００５２】
尚、上記の固定方法は、実施例２における引き戸２ｂや実施例３における折れ戸２ｃを施工する際にも採用することができる。
また、図１３に示すごとく、嵌合部１０３の表面１０４全体がそのまま対向面１１０となるよう構成することもできる。この場合には、例えば、枠本体１０と嵌合部１０３とに予め意匠用シート（図示略）を貼着しておく。その後、両者を一体化することにより、外観意匠性に優れた出入口部１１の意匠面を形成することができる。
【００５３】
（実施例５）
本例は、図１４（ａ）〜（ｆ）に示すごとく、実施例１における開き戸２ａ用の枠本体１０の各部における寸法を種々変更した例である。また、これに伴って該枠傾斜面１１１と裏側面１２とがなす角度も種々変更した。同図（ａ）〜（ｆ）に示した具体例において、第１枠傾斜面１１１ａと裏側面１２とがなす角度は１４〜６０°、第２枠傾斜面１１１ｂと裏側面１２とがなす角度は２０〜４２°である。
【００５４】
以上より、枠傾斜面１１１と裏側面１２とがなす角度の範囲は、１４〜６０°であることが好ましいといえる。
上記角度が１４°未満の場合には、枠傾斜面１１１が外方へと充分に拡開しているとはいえず、外観意匠性に優れた戸枠１を得ることが困難となるおそれがある。
また、上記角度が６０°を超える場合には、戸枠１の幅方向端部１００の角部に人や荷物が接触し易くなるため、人の通行や荷物の運搬を容易に行うことができるという本発明の作用効果を充分に発揮することが困難となるおそれがある。
【００５５】
本例のように枠本体１０の各部における寸法や、枠傾斜面１１１と裏側面１２とがなす角度を種々変更することにより、部屋のイメージや機能の違い等に対応させて種々の戸枠１を構築することができる。
【図面の簡単な説明】
【００５６】
【図１】実施例１における、開き戸用の戸枠の図３におけるＡ−Ａ線断面図。
【図２】実施例１における、開き戸用の戸枠の図３におけるＢ−Ｂ線断面図。
【図３】実施例１における、開き戸用の戸枠の正面図。
【図４】実施例１における、戸枠に取り付けられている金具と開き戸に取り付けられているラッチボルトとの関係を示す斜視説明図。
【図５】実施例２における、引き戸用の戸枠の図７におけるＣ−Ｃ線断面図。
【図６】実施例２における、引き戸用の戸枠の図７におけるＤ−Ｄ線断面図。
【図７】実施例２における、引き戸用の戸枠の正面図。
【図８】実施例２における、引き戸用の他の戸枠の横断面説明図。
【図９】実施例３における、折れ戸用の戸枠の図１１におけるＥ−Ｅ線断面図。
【図１０】実施例３における、折れ戸用の戸枠の図１１におけるＦ−Ｆ線断面図。
【図１１】実施例３における、折れ戸用の戸枠の正面図。
【図１２】実施例４における、開き戸用の戸枠の断面説明図。
【図１３】実施例４における、開き戸用の枠本体の断面説明図。
【図１４】実施例５における、寸法を種々変更させた枠本体の断面説明図。
【図１５】従来例における、戸枠の横断面説明図。
【符号の説明】
【００５７】
１  戸枠
１０  枠本体
１０ａ〜１０ｄ  枠本体
１００  幅方向端部
１１  出入口部
１１０  対向面
１１１  枠傾斜面
１１２  段差部
１１３  弧状部
１１４  段状戸当り部
１２  裏側面
２ａ  開き戸
３  下地材
３０  出入口
【図１】
2007009677.tif 000003
【図２】
2007009677.tif 000004
【図３】
2007009677.tif 000005
【図４】
2007009677.tif 000006
【図５】
2007009677.tif 000007
【図６】
2007009677.tif 000008
【図７】
2007009677.tif 000009
【図８】
2007009677.tif 000010
【図９】
2007009677.tif 000011
【図１０】
2007009677.tif 000012
【図１１】
2007009677.tif 000013
【図１２】
2007009677.tif 000014
【図１３】
2007009677.tif 000015
【図１４】
2007009677.tif 000016
【図１５】
2007009677.tif 000017